(57)【要約】【課題】発光装置から発せられる光の輝度やコントラストなどの低下を抑制しつつ、発光装置から発せられる光の色ムラの発生を抑制することができる技術を提供する。【解決手段】本発明の発光装置は、複数の光源部と、前記複数の光源部のそれぞれを囲む隔壁部材と、前記複数の光源部および前記隔壁部材の上側に設けられ、且つ、前記複数の光源部から発せられた光を拡散する拡散部材と、を備え、前記拡散部材の、前記光源部に対応する部分は、当該光源部に対向する直上部と、当該光源部に対向しない非直上部とを含み、前記直上部の拡散度は、前記非直上部の拡散度よりも低い。【選択図】図３
2019029090.tif 000002
【特許請求の範囲】
【請求項１】
複数の光源部と、
前記複数の光源部のそれぞれを囲む隔壁部材と、
前記複数の光源部および前記隔壁部材の上側に設けられ、且つ、前記複数の光源部から発せられた光を拡散する拡散部材と、
を備え、
前記拡散部材の、前記光源部に対応する部分は、当該光源部に対向する直上部と、当該光源部に対向しない非直上部とを含み、
前記直上部の拡散度は、前記非直上部の拡散度よりも低い
ことを特徴とする発光装置。
【請求項２】
前記発光装置の発光面と平行な方向において、前記非直上部の拡散度は、前記非直上部に対応する前記光源部から遠いほど高い
ことを特徴とする請求項１に記載の発光装置。
【請求項３】
前記拡散部材の拡散度は、前記拡散部材の表面の加工、前記拡散部材の厚み、前記拡散部材に包含される拡散粒子の密度、及び、前記拡散粒子のサイズの少なくともいずれかを制御することにより制御される
ことを特徴とする請求項１または請求項２に記載の発光装置。
【請求項４】
前記直上部は、前記拡散部材の下側と上側を繋ぐ開口である
ことを特徴とする請求項１乃至請求項３のいずれか１項に記載の発光装置。
【請求項５】
前記発光装置の発光面と平行な方向において、前記直上部の形状は略円形である
ことを特徴とする請求項１乃至請求項４のいずれか１項に記載の発光装置。
【請求項６】
前記拡散部材の、前記光源部に対応する部分は、当該光源部が備える複数の発光素子にそれぞれ対向する複数の直上部と、前記複数の発光素子のいずれにも対向しない非直上部とを含む
ことを特徴とする請求項１乃至請求項５のいずれか１項に記載の発光装置。
【請求項７】
前記隔壁部材によって、前記複数の光源部にそれぞれ対応する前記拡散部材の複数の部分が形成される
ことを特徴とする請求項１乃至請求項６のいずれか１項に記載の発光装置。
【請求項８】
前記拡散部材の、前記光源部に対応する部分は、当該光源部に対向する直上部と、当該光源部に対向しない非直上部とからなる
ことを特徴とする請求項１乃至請求項７のいずれか１項に記載の発光装置。
【請求項９】
前記拡散部材の上側に設けられ、且つ、前記拡散部材から発せられた光に光学的な変化を与える光学部材、をさらに備える
ことを特徴とする請求項１乃至請求項８のいずれか１項に記載の発光装置。
【請求項１０】
請求項１乃至請求項９のいずれか１項に記載の発光装置と、
前記発光装置から発せられた光を透過することにより画像を表示する表示パネルと、
を備えることを特徴とする表示装置。
【発明の詳細な説明】
【技術分野】
【０００１】
本発明は、発光装置および表示装置に関する。
【背景技術】
【０００２】
従来、バックライト装置の光源として冷陰極蛍光管（ＣＣＦＬ）が用いられてきたが、近年、光源として発光ダイオード（ＬＥＤ）を備えるバックライト装置も増えてきている。ＬＥＤは点光源であるため、バックライト装置の光源としてＬＥＤを用いる場合には、ＬＥＤの配置、光の拡散構造、光の反射構造などを工夫して輝度ムラや色ムラの発生を抑制する必要がある。特に、発光色が互いに異なる複数のＬＥＤを備えるバックライト装置では、白色ＬＥＤのみを備えるバックライト装置よりも縞模様や格子模様のムラ（輝度ムラや色ムラ）が生じやすいため、ＬＥＤの配置、光の拡散構造、光の反射構造などに工夫が必要である。発光色（発せられる光の波長）が互いに異なる複数のＬＥＤは、赤色ＬＥＤ、緑色ＬＥＤ、青色ＬＥＤなどである。
【０００３】
また、ＬＥＤが点光源であることを利用して、ＬＥＤの発光輝度を個別に制御することでバックライト装置の発光輝度（ＢＬ輝度）を部分的に変更し、表示画像のコントラストを高める技術がある。このような発光輝度の制御は、一般的に「ローカルディミング制御」と呼ばれる。ローカルディミング制御では、画面の領域を構成する複数の分割画面領域のそれぞれについて、対応する画像データの輝度値を分析し、且つ、対応する光源部の発光輝度を輝度値の分析結果に基づいて制御する処理が行われる。それにより、表示画像のコントラストが向上される。
【０００４】
表示画像のコントラストをさらに高めるための構成として、複数の分割画面領域に対応する複数の光源部のそれぞれを囲む隔壁部材を用いた構成が提案されている。この構成により、互いに隣接する分割画面領域間でのＢＬ輝度の差をさらに高めることができ、表示画像のコントラストをさらに高めることができる。また、表面の光反射率が高い隔壁部材を使用することにより、互いに隣接する分割画面領域間でのＢＬ輝度の差をさらに高めることができ、表示画像のコントラストをさらに高めることができる。
【０００５】
しかしながら、分割画面領域から他の分割画面領域に向かう光線が隔壁部材によって遮られるため、隔壁部材の上面やその近傍に対応する領域におけるＢＬ輝度が他の領域におけるＢＬ輝度よりも低い輝度ムラが発生する。また、発光色が互いに異なる複数の光源を各光源部が有する場合には、色分離が発生し、隔壁部材の上面やその近傍に対応する領域におけるＢＬ色（バックライト装置の発光色）が他の領域におけるＢＬ色と異なる色ムラが発生する。
【０００６】
これらの課題を解決する方法は、例えば、特許文献１に開示されている。特許文献１に開示の技術では、入射された光に光学的な変化を与える光学部材と、入射された光を拡散する拡散部材とが使用される。光学部材は、隔壁部材から離れた位置に設けられ、拡散部材は、隔壁部材上に設けられる。各光源部から発せられた光は、拡散部材によって拡散された後、光学部材に入射される。各光源部から発せられた光が拡散部材によって拡散されることにより、色分離の発生と、色ムラの発生とを抑制することができる。
【先行技術文献】
【特許文献】
【０００７】
【特許文献１】特開２００９−１４０７２０号公報
【発明の概要】
【発明が解決しようとする課題】
【０００８】
特許文献１に開示の技術では、色ムラの発生を抑制するために、高い拡散度（拡散性能）を有する拡散部材が必要となる。しかしながら、拡散部材の拡散度が高い場合には、拡散部材の透過率が低いため、複数の光源部から発せられた光の多くが拡散部材で反射したり吸収されたりする。すなわち、複数の光源部から発せられた光の損失が大きく、複数の光源部から発せられた光の利用効率が低い。そのため、バックライト装置（発光装置）から発せられる光の輝度やコントラストなどが低下する。その結果、表示画像の輝度やコントラストなども低下する。
【０００９】
本発明は、発光装置から発せられる光の輝度やコントラストなどの低下を抑制しつつ、発光装置から発せられる光の色ムラの発生を抑制することができる技術を提供することを目的とする。
【課題を解決するための手段】
【００１０】
本発明の第１の態様は、
複数の光源部と、
前記複数の光源部のそれぞれを囲む隔壁部材と、
前記複数の光源部および前記隔壁部材の上側に設けられ、且つ、前記複数の光源部から発せられた光を拡散する拡散部材と、
を備え、
前記拡散部材の、前記光源部に対応する部分は、当該光源部に対向する直上部と、当該光源部に対向しない非直上部とを含み、
前記直上部の拡散度は、前記非直上部の拡散度よりも低い
ことを特徴とする発光装置である。
【００１１】
本発明の第２の態様は、
上述した発光装置と、
前記発光装置から発せられた光を透過することにより画像を表示する表示パネルと、
を備えることを特徴とする表示装置である。
【発明の効果】
【００１２】
本発明によれば、発光装置から発せられる光の輝度やコントラストなどの低下を抑制しつつ、発光装置から発せられる光の色ムラの発生を抑制することができる。
【図面の簡単な説明】
【００１３】
【図１】実施例１に係る表示装置の断面図
【図２】実施例１に係る複数の光源部と隔壁部材の上面図
【図３】実施例１に係る拡散板の構成を示す模式図
【図４】比較例に係る拡散板の構成を示す模式図
【図５】実施例１に係る拡散板の分割領域の上面図
【図６】実施例１に係る光源部から発せられた光の相対輝度の分布を示す模式図
【図７】実施例１に係る照射光の輝度分布を示す模式図
【図８】実施例１に係るＢＬ光の輝度分布を示す模式図
【図９】実施例１の変形例に係る拡散板の構成を示す模式図
【図１０】実施例１で発生し得る色ムラを示す模式図
【図１１】実施例２に係る拡散板の構成を示す模式図
【図１２】実施例２の効果を示す模式図
【図１３】実施例３に係る拡散板の構成を示す模式図
【図１４】実施例３に係る拡散板の分割領域の上面図
【図１５】実施例３に係るＢＬ光の輝度分布を示す模式図
【図１６】実施例４に係る拡散板の構成を示す模式図
【発明を実施するための形態】
【００１４】
＜実施例１＞
以下、本発明の実施例１について説明する。本実施例に係る発光装置は、発光装置から発せられた光を透過することにより画像を表示する表示パネルを備える表示装置で用いることができる。例えば、本実施例に係る発光装置は、表示パネルが液晶パネルである液晶表示装置のバックライトユニットとして用いることができる。液晶パネルは、バックライトユニットからの光を入力画像データに基づいて透過する。本実施例に係る発光装置は、液晶素子の代わりにＭＥＭＳ（Ｍｉｃｒｏ  Ｅｌｅｃｔｒｏ  Ｍｅｃｈａｎｉｃａｌ  Ｓｙｓｔｅｍ）シャッターを備えるＭＥＭＳシャッター方式表示装置でも用いることができる。本実施例に係る発光装置は、広告標識装置、標識表示装置、等の表示装置でも用いることができる。本実施例に係る発光装置は、街灯、室内照明、顕微鏡照明、等の照明装置としても用いることができる。本実施例に係る表示装置は、カラー表示装置（カラー画像を表示可能な表示装置）であってもよいし、モノクロ表示装置（モノクロ画像のみを表示可能な表示装置）であってもよい。
【００１５】
図１は、本実施例に係る表示装置（液晶表示装置）１００の断面図である。図１は、表示装置１００の画面に垂直な面によって得られる断面を示す。表示装置１００は、液晶パネル１０８とバックライトユニット（発光装置）を備える。本実施例では、表示装置１００の画面は、液晶パネル１０８の正面（前面）である。バックライトユニットは、複数の光源部１０１、板金１０２、光源基板１０３、隔壁部材１０４、拡散板１０５、第１保持部材１０６、光学シート１０７、及び、第２保持部材１０９を備える。
【００１６】
バックライトユニットの発光面は、液晶パネル１０８の背面側に位置する。そして、バックライトユニットの発光面から発せられた光は、当該発光面の正面側に設けられた液晶パネル１０８の背面に照射される。バックライトユニットの発光面は、表示装置１００の画面と略平行である（「略」は「完全」を含む）。そのため、表示装置１００の画面に垂直な面は、「バックライトユニットの発光面に垂直な面」とも言える。本実施例では、バックライトユニットの発光面は、光学シート１０７の正面（光学シート１０７の、液晶パネル１０８の背面に対向する面）である。
【００１７】
なお、バックライトユニットの一部の部材は、バックライトユニットから独立した部材として扱われてもよい。例えば、板金１０２、光学シート１０７、及び、第２保持部材１０９の少なくともいずれかが、バックライトユニットから独立した部材として扱われてもよい。
【００１８】
図２は、複数の光源部１０１と隔壁部材１０４の上面図（正面側から見た図）である。
【００１９】
図１，２を用いて、表示装置１００の構成について説明する。以降の説明では、表示装置１００の背面から正面へ向かう方向を、下から上へ向かう方向として、説明を行う。なお、表示装置１００の上下方向は、鉛直方向（重力方向に対して平行な方向）と一致してもよいし、一致しなくてもよい。例えば、表示装置１００の画面が鉛直方向に対して略平行になるように設置された場合には、表示装置１００の上下方向は、鉛直方向に対して略垂直な方向となる。表示装置１００の画面が鉛直方向に対して略垂直になるように設置された場合には、表示装置１００の上下方向は、鉛直方向と一致する。
【００２０】
複数の光源部１０１は、光源基板１０３上に設けられる（図１）。各光源部１０１の発光（発光輝度と発光色の少なくとも一方）は個別に制御可能である。本実施例では、３行
３列のマトリクス状に並んだ９つの光源部１０１が、光源基板１０３上に設けられる（図２）。各光源部１０１は、１つ以上の発光素子（光源）を備える。発光素子として、例えば、発光ダイオード（ＬＥＤ）、有機ＥＬ（Ｅｌｅｃｔｒｏ  Ｌｕｍｉｎｅｓｃｅｎｃｅ）素子、レーザ光源、冷陰極管、等を用いることができる。本実施例では、各光源部１０１は、発光色（発せられる光の波長）が互いに異なる複数の発光素子を備える。具体的には、各光源部１０１は、赤色光を発するＲ発光素子（図中の「Ｒ」）、緑色光を発するＧ発光素子（図中の「Ｇ」）、及び、青色光を発するＢ発光素子（図中の「Ｂ」）を備える。複数の光源部１０１のそれぞれにおいて、複数の発光素子は互いに近接して配置される。
【００２１】
なお、複数の光源部１０１の数は、９つより多くても少なくてもよい。複数の光源部１０１の配置はマトリクス状の配置でなくてもよい。例えば、複数の光源部１０１は千鳥格子状に配置されてもよい。各光源部１０１の構成は上記構成に限られない。例えば、各光源部１０１は、３つより多い数の発光素子を備えてもよいし、２つより少ない数の発光素子を備えてもよい。各光源部１０１は、Ｒ発光素子、Ｇ発光素子、及び、Ｂ発光素子の少なくともいずれかを備えなくてもよいし、黄色光を発するＹ発光素子を備えてもよい。複数の発光素子は互いに近接して配置されなくてもよい。
【００２２】
板金１０２は、光源基板１０３を保持し、光源基板１０３の熱を逃がす（放熱）。また、光源基板１０３と板金１０２は、熱伝導シート等を用いて互いに電気的に絶縁される。
【００２３】
隔壁部材１０４は、複数の光源部１０１のそれぞれを囲む（図２）。隔壁部材１０４は、「複数の光源部１０１のそれぞれについて、その光源部１０１を他の光源部１０１から隔てる部材」とも言える。本実施例では、隔壁部材１０４は、反射部材であり、光源部１０１から発せられて他の光源部１０１の側へ向かう光を、正面側へ反射する。それにより、バックライトユニットから発せられる光（液晶パネル１０８の背面に照射される光；ＢＬ光）のコントラストを向上することができる。その結果、表示装置１００の画面に表示された画像（表示画像）のコントラストを向上することができる。
【００２４】
本実施例では、拡散板１０５は、隔壁部材１０４によって形成された、複数の光源部１０１それぞれ対応する複数の分割領域（対応部）を含む。図２の破線で示した複数の領域は、拡散板１０５における複数の分割領域である。
【００２５】
拡散板１０５は、複数の光源部１０１および隔壁部材１０４の上側に設けられ、且つ、複数の光源部１０１から発せられた光を拡散する部材である。拡散板１０５のうち、光源部１０１の直上の領域（直上領域；直上部）における拡散度は、それ以外の領域（非直上領域；非直上部）の拡散度よりも低くなるように構成される。本実施例では、拡散板１０５は、隔壁部材１０４の上端に接するように配置される（図１）。拡散板１０５と隔壁部材１０４が互いに接触する接触領域（接点）の数は少ないことが好ましく、接触領域のサイズは小さいことが好ましい。なお、拡散板１０５は隔壁部材１０４から離れていてもよい。板状の拡散板１０５の代わりに、板状でない拡散部材が使用されてもよい。
【００２６】
第１保持部材１０６は、隔壁部材１０４と拡散板１０５を保持する支持部材である。本実施例では、第１保持部材１０６は、隔壁部材１０４と拡散板１０５を側面側から保持する（図１）。
【００２７】
光学シート１０７は、拡散板１０５の上側に設けられ、且つ、拡散板１０５から発せられた光に光学的な変化（拡散、偏光、集光、等）を与える。光学シート１０７は、例えば、拡散板、拡散シート、集光板、集光シート、偏光板、偏光シート、等の少なくともいずれかを備える。光学シート１０７は、１つの部材であってもよいし、複数の部材を備えて
もよい。シート状の光学シート１０７の代わりに、シート状でない光学部材が使用されてもよい。
【００２８】
液晶パネル１０８は、光学シート１０７から発せられて液晶パネル１０８の背面に照射された光を入力画像データに基づいて透過する。それにより、入力画像データに基づく画像が表示装置１００の画面に表示される。
【００２９】
第２保持部材１０９は、光学シート１０７と液晶パネル１０８の間隔が所望の間隔となるように、光学シート１０７と液晶パネル１０８を保持する支持部材である。本実施例では、第２保持部材１０９は、光学シート１０７と液晶パネル１０８を側面側から保持する（図１）。
【００３０】
拡散板１０５の構成について説明する。本実施例では、拡散板１０５の正面に微細な凹凸が形成される。拡散板１０５の正面に形成された凹凸の密度により、拡散板１０５の拡散度が制御される。凹凸は、均一に設けられてもよいし、シボ加工で不均一に設けられてもよい。拡散板１０５の背面は、凹凸の無い滑らかな面である。拡散板１０５の素材は、例えば、透過率が高い透明なアクリルである。
【００３１】
図３は、拡散板１０５の構成を示す模式図であり、図１の範囲１１０の拡大図である。図３には、光源部１０１と隔壁部材１０４も示されている。図３に示すように、拡散板１０５の分割領域は、光源部１０１に対向する直上領域１０５ａと、光源部１０１に対向しない非直上領域１０５ｂとからなる。そして、本実施例では、直上領域１０５ａの拡散度が非直上領域１０５ｂの拡散度よりも低くなるように、拡散板１０５の拡散度が制御される。拡散板１０５の拡散度は、凹凸の密度が高いほど高い。本実施例では、直上領域１０５ａの凹凸の密度が非直上領域１０５ｂの凹凸の密度よりも低くなるように、拡散板１０５に凹凸が形成される（図３）。なお、拡散板１０５の分割領域は、直上領域１０５ａと非直上領域１０５ｂ以外の領域を含んでもよい。
【００３２】
図３の構成によれば、直上領域１０５ａの拡散度が低いため、光源部１０１から発せられた光は、効率良く（少ない損失で）直上領域１０５ａを透過する。その結果、図３の構成では、凹凸の密度が均一な構成（図４）に比べ、直上領域１０５ａと非直上領域１０５ｂの間におけるＢＬ光や表示画像の輝度差を大きくすることができ、ＢＬ光や表示画像のコントラストを高めることができる。また、図３の構成によれば、非直上領域１０５ｂの拡散度が低いため、光源部１０１から発せられた光は、非直上領域１０５ｂで十分に拡散される。その結果、ＢＬ光の色分離の発生と、ＢＬ光や表示画像の色ムラの発生とを抑制することができる。
【００３３】
直上領域１０５ａと非直上領域１０５ｂについてより詳細に説明する。図５は、拡散板１０５の分割領域の上面図である。図６は、光源部１０１から発せられた光の相対輝度の分布を示す模式図である。図６において、放射角度θは、表示装置１００の画面（バックライトユニットの発光面）に垂直な方向に対する角度である。光源部１０１は、ランベルトの余弦則にしたがって光を発するとする。つまり、光源部１０１から発せられた光の相対輝度は、放射角度θの余弦（ｃｏｓ（θ））に比例する。図６の太線で示すように、光源部１０１から発せられた光の相対輝度は、放射角度θと円状の対応関係となる。
【００３４】
例えば、直上領域１０５ａは、光源部１０１から発せられた光のうち所定の光量以上が集中して照射される領域であるとする。本実施例では、例えば、直上領域１０５ａは、表示装置１００の画面に平行な方向において光源部１０１と重なる領域を含み、光源部１０１から発せられた光のうち半分の光量が入射する領域であるとする。上述した放射特性より、全体の光量の半分以下に対応する放射角度θの範囲は、放射角度０〜３０°である。
したがって、光源部１０１の中心位置より半径ｘ１＝ｄ×ｓｉｎ（３０°）（ｄは光源１０１から拡散板１０５までの距離）の略円形の領域を直上領域１０１ａとする。
【００３５】
また、照射光の輝度から直上領域１０５ａを決定することも可能である。図７は、光源部１０１から発せられて拡散板１０５の背面に入射した光（照射光）の輝度分布を示す模式図である。横軸は、光源部１０１の中心位置を０とした場合の、拡散板１０５の背面内の位置を示す。縦軸は、放射角度θ＝０°における輝度で規格化した照射光の輝度を示す。光源部１０１は上述の放射特性で光を発するとする。例えば、直上領域１０５ａは、光源部１０１から発せられる光のうち、所定の強度以上で光が照射される領域であるとする。具体的には、拡散板１０５において光源部１０１の直上の位置から、照射される光の輝度分布における半値幅より短い距離に含まれる領域を直上領域１０１ａとしてもよい。
【００３６】
拡散板１０５の分割領域から直上領域１０５ａを除いた領域を、非直上領域１０５ｂとする。
【００３７】
なお、直上領域１０５ａは、上述したように、拡散板１０５の背面へ光源部１０１から照射された光の量に応じて定められる領域に限られない。拡散板１０５の分割領域のうち、表示装置１００の画面に平行な方向において、光源部１０１と重なる領域を含む他の領域を直上領域１０５ａとしてもよい。すなわち、直上領域１０５ａは、光源部１０１と対向する拡散板１０５の領域であればよい。光源部１０１が複数の発光素子を備える場合には、分割領域は、複数の発光素子にそれぞれ対向する複数の直上領域１０５ａを含んでもよい。また、直上領域１０５ａの形状は略円形に限定されない。例えば、表示装置１００の画面（バックライトユニットの発光面）と平行な方向において、直上領域１０５ａの形状は略多角形（四角形など）であってもよい。
【００３８】
本実施例の効果について、図８を用いてより詳細に説明する。図８は、１つの光源部１０１のみを点灯させた場合のＢＬ光の輝度分布を示す模式図である。図８の輝度分布は、表示装置１００の画面（バックライトユニットの発光面）と平行な方向における輝度分布である。図８の実線７０１は、本実施例（図３）の構成で実現される輝度分布を示し、図８の破線７０２は、比較例（図４）の構成で実現される輝度分布を示す。本実施例（図３）では、光源部１０１に近い直上領域１０５ａの拡散度が、光源部１０１から遠い非直上領域１０５ｂの拡散度よりも低い。そのため、図８に示すように、本実施例（図３；実線７０１）では、比較例（図４；破線７０２）に比べ、直上領域１０５ａと非直上領域１０５ｂの間のＢＬ光の輝度差を大きくすることができ、ＢＬ光のコントラストを高めることができる。さらに、本実施例（図３）では、非直上領域１０５ｂの拡散度が低いため、光源部１０１から発せられた光は、非直上領域１０５ｂで十分に拡散される。その結果、ＢＬ光の色分離の発生と、ＢＬ光の色ムラの発生とを抑制することができる。
【００３９】
以上述べたように、本実施例によれば、直上領域の拡散度が非直上領域の拡散度よりも低いことにより、発光装置から発せられる光の輝度やコントラストなどの低下を抑制しつつ、発光装置から発せられる光の色ムラの発生を抑制することができる。
【００４０】
なお、色分離の発生度合いは、部材（光源部１０１、拡散板１０５、光学シート１０７、等）の特性、配置、保持構造、等に依存する。色分離の発生度合いが小さいという条件が満たされる場合などにおいて、直上領域１０５ａに凹凸が形成されない図９の構成が採用されてもよい。上記条件は、例えば、拡散板１０５と光学シート１０７の間の距離が短いという条件である。図９の構成によれば、直上領域１０５ａと非直上領域１０５ｂの間のＢＬ光の輝度差をより大きくすることができ、ＢＬ光のコントラストをより高めることができる。
【００４１】
なお、拡散板１０５の拡散度の制御方法は、上記方法に限られない。例えば、凹凸の密度ではなく、凹凸のサイズを制御することにより、拡散度が制御されてもよい。また、拡散板１０５の拡散度の制御方法は、拡散板１０５の表面の加工を制御する方法に限られない。例えば、拡散板１０５の厚み（上下方向の厚み）を制御することにより、拡散度が制御されてもよい。拡散板１０５にビーズ（拡散粒子）を包含させる場合には、ビーズの密度を制御することにより、拡散度が制御されてもよい。ビーズのサイズを制御することにより、拡散度が制御されてもよい。上述した複数の制御方法の２つ以上を組み合わせた方法によって拡散度が制御されてもよい。
【００４２】
＜実施例２＞
以下、本発明の実施例２について説明する。なお、以下では、実施例１と異なる構成について詳しく説明し、実施例１と同じ構成についての説明は省略する。実施例１では、非直上領域１０５ｂの拡散度が均一である。その構成では、全ての光源部１０１を点灯させた場合などにおいて、直上領域１０５ａと非直上領域１０５ｂの境界部分で色分離が発生し、当該境界部分でＢＬ光の色ムラが発生することがある。例えば、図１０に示すような色ムラが発生することがある。図１０は、実施例１で発生し得る色ムラを示す模式図である。本実施例では、このような色ムラの発生をも抑制できる例を説明する。
【００４３】
ここで、表示装置１００の画面（バックライトユニットの発光面）と平行な方向に着目する。拡散板１０５の拡散度が均一な場合において、色分離は、直上領域１０５ａで発生し難く、非直上領域１０５ｂで発生しやすい。そして、非直上領域１０５ｂでは、隔壁部材１０４の上端に近いほど色分離が発生しやすい。換言すれば、非直上領域１０５ｂでは、当該非直上領域１０５ｂに対応する光源部１０１から遠いほど色分離が発生しやすい。そこで、本実施例では、非直上領域１０５ｂに対応する光源部１０１から遠いほど当該非直上領域１０５ｂの拡散度が高い構成を採用する。
【００４４】
図１１は、本実施例に係る拡散板１０５の構成を示す模式図である。本実施例では、非直上領域１０５ｂが、隔壁部材１０４の上端に対向する領域１０５ｃと、隔壁部材１０４の上端に対向しない領域１０５ｄとからなる。実施例１と同様に、非直上領域１０５ｂ（領域１０５ｃ，１０５ｄ）の拡散度は、直上領域１０５ａの拡散度よりも高い。拡散板１０５の拡散度が均一な場合において、領域１０５ｃでは、領域１０５ｄよりも色分離が発生しやすい。そのため、領域１０５ｃの拡散度として、領域１０５ｄの拡散度よりも高い値が設定される。具体的には、直上領域１０５ａの凹凸の密度が領域１０５ｃ，１０５ｄの凹凸の密度よりも低く、且つ、領域１０５ｄの凹凸の密度が領域１０５ｃの凹凸の密度よりも低くなるように、拡散板１０５に凹凸が形成される。
【００４５】
以上述べたように、本実施例によれば、発光装置の発光面と平行な方向において、非直上領域の拡散度は、当該非直上領域に対応する光源部から遠いほど高い。それにより、発光装置から発せられる光の輝度やコントラストなどの低下を抑制しつつ、発光装置から発せられる光の色ムラの発生をより抑制することができる。具体的には、図１２に示すように、全ての光源部１０１を点灯させた場合などにおいても、色ムラが略無いＢＬ光を得ることができる。
【００４６】
なお、本実施例では、非直上領域１０５ｂに２種類の拡散度を割り当てる例を示したが、これに限られない。非直上領域１０５ｂに３種類以上の拡散度が割り当てられてもよい。表示装置１００の画面（バックライトユニットの発光面）と平行な方向において、光源部１０１からの距離の増加に伴い非直上領域１０５ｂの拡散度が連続的に増加してもよい。
【００４７】
＜実施例３＞
以下、本発明の実施例３について説明する。なお、以下では、実施例１，２と異なる構成について詳しく説明し、実施例１，２と同じ構成についての説明は省略する。本実施例では、ＢＬ光の輝度やコントラストなどの低下をより抑制することができる例を説明する。
【００４８】
図１３は、本実施例に係る拡散板１０５の構成を示す模式図である。透過率が高いアクリルなどを拡散板１０５の素材として用いたとしても、拡散板１０５において、光の反射、吸収、屈折、等による光の損失が少なからず生じる。そこで、本実施例では、直上領域１０５ａに、拡散板１０５の下側と上側を繋ぐ開口を設ける。これにより、直上領域１０５ａでの上記損失を無くすことができ、ＢＬ光の輝度やコントラストなどの低下をより抑制することができる。開口の形状は特に限定されないが、図１４に示すように、表示装置１００の画面（バックライトユニットの発光面）と平行な方向における形状が略円形である開口を、直上領域１０５ａとして設けることが好ましい。
【００４９】
本実施例の効果について、図１５を用いてより詳細に説明する。図１５は、１つの光源部１０１のみを点灯させた場合のＢＬ光の輝度分布を示す模式図である。図１５の輝度分布は、表示装置１００の画面（バックライトユニットの発光面）と平行な方向における輝度分布である。図１５の実線１４０１は、本実施例（図１３）の構成で実現される輝度分布を示し、図１５の一点鎖線１４０２は、実施例１（図３）の構成で実現される輝度分布を示し、図１５の破線１４０３は、比較例（図４）の構成で実現される輝度分布を示す。本実施例（図１５）では、拡散板１０５の下側と上側を繋ぐ開口が直上領域１０５ａに設けられる。そのため、図１５に示すように、本実施例（図１３；実線１４０１）では、実施例１（図３；一点鎖線１４０２）や比較例（図４；破線１４０３）に比べ、直上領域１０５ａと非直上領域１０５ｂの間のＢＬ光の輝度差を大きくすることができる。その結果、本実施例では、実施例１や比較例に比べＢＬ光のコントラストを高めることができる。さらに、本実施例（図１３）では、非直上領域１０５ｂの拡散度が低いため、光源部１０１から発せられた光は、非直上領域１０５ｂで十分に拡散される。その結果、ＢＬ光の色分離の発生と、ＢＬ光の色ムラの発生とを抑制することができる。
【００５０】
以上述べたように、本実施例によれば、拡散部材の下側と上側を繋ぐ開口が直上領域に設けられる。それにより、発光装置から発せられる光の輝度やコントラストなどの低下をより抑制しつつ、発光装置から発せられる光の色ムラの発生を抑制することができる。
【００５１】
＜実施例４＞
以下、本発明の実施例４について説明する。なお、以下では、実施例１〜３と異なる構成について詳しく説明し、実施例１〜３と同じ構成についての説明は省略する。本実施例では、実施例２（非直上領域１０５ｂに対応する光源部１０１から遠いほど当該非直上領域１０５ｂの拡散度が高い構成）の変形例を説明する。
【００５２】
図１６は、本実施例に係る拡散板１０５の構成を示す模式図である。本実施例では、実施例２と同様に、非直上領域１０５ｂが、隔壁部材１０４の上端に対向する領域１０５ｃと、隔壁部材１０４の上端に対向しない領域１０５ｄとからなる。領域１０５ｃは、直上領域１０５ａよりも厚い。本実施例では、実施例３と同様に、拡散板１０５の下側と上側を繋ぐ開口が直上領域１０５ａに設けられる。そのため、直上領域１０５ａの厚みは０（ゼロ）である。そして、直上領域１０５ａから領域１０５ｃに近づく方向において、領域１０５ｄの厚みは、直上領域１０５ａと同じ厚み（ゼロ）から、領域１０５ｃと同じ厚みへ増加する。
【００５３】
本実施例では、複数のビーズ（拡散粒子）が略均一な密度で拡散板１０５に内包されているため、拡散板１０５が厚いほど、拡散板１０５内のビーズの数が多く、拡散板１０５
の拡散度が高い。そのため、本実施例では、領域１０５ｃの拡散度は、直上領域１０５ａの拡散度よりも高い。そして、直上領域１０５ａから領域１０５ｃに近づく方向において、領域１０５ｄの拡散度は、直上領域１０５ａと同じ拡散度から、領域１０５ｃと同じ拡散度へ増加する。
【００５４】
以上述べたように、本実施例によれば、発光装置の発光面と平行な方向において、非直上領域の拡散度は、当該非直上領域に対応する光源部から遠いほど高い。それにより、実施例２と同様の効果が得られる。
【００５５】
なお、実施例１〜４はあくまで一例であり、本発明の要旨の範囲内で実施例１〜４の構成を適宜変形したり変更したりすることにより得られる構成も、本発明に含まれる。実施例１〜４の構成を適宜組み合わせて得られる構成も、本発明に含まれる。
【符号の説明】
【００５６】
１００：表示装置  １０１：光源部  １０４：隔壁部材  １０５：拡散板
１０５ａ：直上領域  １０５ｂ：非直上領域  １０８：液晶パネル
【図１】
2019029090.tif 000003
【図２】
2019029090.tif 000004
【図３】
2019029090.tif 000005
【図４】
2019029090.tif 000006
【図５】
2019029090.tif 000007
【図６】
2019029090.tif 000008
【図７】
2019029090.tif 000009
【図８】
2019029090.tif 000010
【図９】
2019029090.tif 000011
【図１０】
2019029090.tif 000012
【図１１】
2019029090.tif 000013
【図１２】
2019029090.tif 000014
【図１３】
2019029090.tif 000015
【図１４】
2019029090.tif 000016
【図１５】
2019029090.tif 000017
【図１６】
2019029090.tif 000018